(57)【要約】【課題】機関出力を略一定に維持しつつ運転状態を変更可能な内燃機関において、排気浄化装置における触媒の暖機中により適切な運転状態を選択することによって、触媒をより効率的に暖機できる技術を提供する。【解決手段】内燃機関の暖機時（Ｓ１０１）において、内燃機関の機関出力を始動時機関出力に維持しつつＮＳＲの温度に応じて運転状態を変更し（Ｓ１０２〜Ｓ１０３）、触媒の暖機を促進する。そしてその際に、ＮＳＲに導入される排気の温度とＮＳＲの温度との差に応じて（Ｓ１０５）運転状態を補正する（Ｓ１０７）。【選択図】図４
2008255947.tif 000002
【特許請求の範囲】
【請求項１】
内燃機関の排気通路に設けられ、前記排気通路を通過する排気を浄化する触媒を有する排気浄化装置と、
前記触媒の温度を取得する触媒温度取得手段と、
前記触媒に導入される排気の温度を取得する排気温度取得手段と、
前記内燃機関の機関出力を略一定に維持しつつ運転状態を変更可能な等出力運転状態変更手段と、
を備え、
前記触媒温度取得手段によって取得された前記触媒の温度が活性温度より低い場合には、前記等出力運転状態変更手段によって、前記内燃機関の機関出力を所定出力に維持しつつ、運転状態を低負荷高回転数の所定の第１状態としてから前記触媒の温度に応じて高負荷低回転数の所定の第２状態へ移行させることによって前記触媒の暖機を促進する暖機促進制御を行う暖機促進手段と、
前記暖機促進手段による前記暖機促進制御の実行中において、前記排気温度取得手段によって取得された前記排気の温度の、前記触媒温度取得手段によって取得された前記触媒の温度に対する差に応じて、前記機関出力を前記所定出力に維持しつつ前記運転状態を補正する運転状態補正手段と、をさらに備えることを特徴とする内燃機関の制御装置。
【請求項２】
前記運転状態補正手段は、前記排気の温度の前記触媒の温度に対する差がより小さい場合における運転状態が、前記排気の温度の前記触媒の温度に対する差がより大きい場合における運転状態と比較して、同等若しくはより高負荷低回転数側の運転状態となるように前記運転状態を補正することを特徴とする請求項１に記載の内燃機関の制御装置。
【請求項３】
前記運転状態補正手段は、前記排気の温度の前記触媒の温度に対する差が所定温度差以下の場合に、前記運転状態をより高負荷低回転数側に補正することを特徴とする請求項１に記載の内燃機関の制御装置。
【請求項４】
前記触媒は排気中のＮＯxを浄化するＮＯx触媒であり、
所定の低温状態において前記内燃機関から排出される燃料の未燃成分を吸収するとともに、所定の高温状態においては前記低温状態において吸収した未燃成分を放出する未燃成分触媒を有する第２排気浄化装置をさらに備え、
前記運転状態補正手段は、前記未燃成分触媒における前記未燃成分の吸収量がより多い場合における運転状態が、前記未燃成分の吸収量がより少ない場合における運転状態と比較して、同等若しくはより高負荷低回転数側の運転状態となるように前記運転状態を補正することを特徴とする請求項１から３のいずれかに記載の内燃機関の制御装置。
【請求項５】
前記触媒は排気中のＮＯxを浄化するＮＯx触媒であり、
所定の低温状態において前記内燃機関から排出される燃料の未燃成分を吸収するとともに、所定の高温状態においては前記低温状態において吸収した未燃成分を放出する未燃成分触媒を有する第２排気浄化装置をさらに備え、
前記未燃成分触媒における未燃成分の吸収量が所定量未満の場合には、前記所定温度差の値が、前記排気浄化装置および／または前記第２排気浄化装置の温度が高いほど大きくなるように変更され、前記吸収量が所定量以上の場合には、前記所定温度差の値が、前記排気浄化装置および／または前記第２排気浄化装置の温度が低いほど大きくなるように変更されることを特徴とする請求項３に記載の内燃機関の制御装置。
【発明の詳細な説明】
【技術分野】
【０００１】
本発明は内燃機関の制御装置に関し、特に、内燃機関の始動時において機関負荷および機関回転数を制御して排気浄化装置の触媒の暖機を促進する制御装置に関する。
【背景技術】
【０００２】
従来より、内燃機関の始動時において機関負荷および機関回転数を制御して排気浄化装置の触媒の暖機を促進することが行なわれる。特に、内燃機関によって駆動される発電機と車両を駆動する電動機とを搭載するハイブリッド車においては、始動時において内燃機関への要求出力を増加させて、発電機によって得られた電力により電池を充電すると共に、排気の温度上昇を早めることで排気浄化装置の触媒の暖機の促進も行う場合がある（例えば、特許文献１を参照。）。
【０００３】
このようなハイブリッド車においては、上述した触媒の暖機において、要求出力が同等となる運転状態の中で、比較的低燃費となる高負荷低回転数の状態が選択されることが多かった。それに対し、触媒の温度に応じて、要求出力を維持しつつ最適な運転状態を逐一選択することも考えられる。
【０００４】
これに関連して、内燃機関の等出力線上で、燃料消費量と汚染物質の量とが共に最少となる運転状態を選択して内燃機関を運転させ、排気温度が低い場合には、より高負荷・低回転数側の運転状態を選択して排気浄化装置の触媒の温度を高くする技術などが公知である(例えば、特許文献２を参照。)。
【０００５】
しかし、排気浄化装置の触媒の温度に応じて最適な運転状態を選択した場合であっても、その際の排気の温度と触媒の温度との差が小さい場合には、触媒に効率的に熱を供給できず、触媒の暖機が効率的に行なわれないことが考えられた。
【特許文献１】特開２０００−０４０５３２号公報
【特許文献２】特開２００２−２９３１７２号公報
【発明の開示】
【発明が解決しようとする課題】
【０００６】
本発明の目的とするところは、機関出力を略一定に維持しつつ運転状態を変更可能な内燃機関において、排気浄化装置における触媒の暖機中により適切な運転状態を選択することによって、触媒をより効率的に暖機できる技術を提供することである。
【課題を解決するための手段】
【０００７】
上記目的を達成するための本発明は、機関出力を略一定に維持しつつ運転状態を変更可能な内燃機関において、内燃機関の機関出力を所定出力に維持しつつ排気浄化装置の触媒の温度に応じて運転状態を変更して触媒の暖機を促進する際に、触媒に導入される排気の温度と触媒の温度との差に応じて運転状態を補正することを最大の特徴とする。
【０００８】
より詳しくは、内燃機関の排気通路に設けられ、前記排気通路を通過する排気を浄化する触媒を有する排気浄化装置と、
前記触媒の温度を取得する触媒温度取得手段と、
前記触媒に導入される排気の温度を取得する排気温度取得手段と、
前記内燃機関の機関出力を略一定に維持しつつ運転状態を変更可能な等出力運転状態変更手段と、
を備え、
前記触媒温度取得手段によって取得された前記触媒の温度が活性温度より低い場合には、前記等出力運転状態変更手段によって、前記内燃機関の機関出力を所定出力に維持しつつ、運転状態を低負荷高回転数の所定の第１状態としてから前記触媒の温度に応じて高負荷低回転数の所定の第２状態へ移行させることによって前記触媒の暖機を促進する暖機促進制御を行う暖機促進手段と、
前記暖機促進手段による前記暖機促進制御の実行中において、前記排気温度取得手段によって取得された前記排気の温度の、前記触媒温度取得手段によって取得された前記触媒の温度に対する差に応じて、前記機関出力を前記所定出力に維持しつつ前記運転状態を補正する運転状態補正手段と、をさらに備えることを特徴とする。
【０００９】
すなわち、本発明においては、排気浄化装置に備えられた触媒の温度が活性温度より低い場合には、まず、等出力運転状態変更手段が、内燃機関の機関出力を所定出力に維持しつつ運転状態を低負荷高回転数の第１状態とする。これにより、排気温度は比較的低いものの排気流量を増加させることによって排気浄化装置に供給する全体の排気熱量を増加させることができ、より迅速に触媒の温度を上昇させることができる。
【００１０】
そして、その後、触媒の温度に応じて運転状態を高負荷低回転数の所定の第２状態へ徐々に移行させる。これにより内燃機関の暖機中の燃費を向上させることができる。すなわち、触媒の温度が低温の状態では、内燃機関の運転状態を、燃費より触媒の暖機を重視した低負荷高回転数の第１状態とし、その後に触媒の暖機が進むにつれて、触媒の暖機より燃費を重視した高負荷低回転数の第２状態へ運転状態を移行させる。これにより、触媒の暖機の促進と燃費の向上とを両立させる。なお、ここで所定出力とは、機関出力をこの出力に維持することで、触媒の暖機に必要な熱量を供給可能な出力であり、予め定められる。
【００１１】
しかし、実際の運転状態の制御においては、触媒の温度と、触媒に導入される排気の温度との間の差が小さいと、いくら多くの排気を触媒に供給しても、触媒の温度を効率的に上昇させられない場合がある。
【００１２】
そこで、本発明においては、機関出力は前記所定出力に維持したまま、排気の温度と触媒の温度との差に応じて運転状態をさらに補正することとした。これによれば、実際に触媒に熱量を供給する排気の温度と、触媒の温度との差を適正に維持することができるので、より効率的に触媒の暖機を促進することができる。
【００１３】
また、本発明においては、前記運転状態補正手段は、前記排気の温度の前記触媒の温度に対する差がより小さい場合における運転状態が、前記排気の温度の前記触媒の温度に対する差がより大きい場合における運転状態と比較して、同等若しくはより高負荷低回転数側の運転状態となるように前記運転状態を補正してもよい。
【００１４】
すなわち、排気の温度と触媒の温度との差がより小さい場合に、より高負荷低回転数側になるように運転状態を補正して排気の温度を上昇させることにより、触媒により多くの熱量を供給可能な状態とする。そうすれば、より効率的に触媒を暖機することができる。
【００１５】
この場合、排気の温度と触媒の温度との差に応じて、運転状態を、等出力線上をより高負荷低回転数側に連続的に変化させてもよいし、２段階またはそれ以上の段階に段階的に変化させるようにしてもよい。
【００１６】
また、その場合は、前記運転状態補正手段は、前記排気の温度の前記触媒の温度に対する差が所定温度差以下の場合に、前記運転状態をより高負荷低回転数側に補正してもよい。
【００１７】
すなわち、所定温度差を閾値として、前記排気の温度と触媒の温度との差がこの所定温度差以下の場合に、運転状態をより高負荷低回転数側に補正する。ここで、所定温度差は、前記排気の温度と触媒の温度との温度差がこれ以下の場合には、排気によって前記触媒に対して充分に多くの熱量を供給することができず、触媒を効率よく暖機することが困難となる温度差である。これによれは、より簡単な制御で、より効率的に触媒の暖機を促進することができる。
【００１８】
また、本発明においては、前記触媒は排気中のＮＯxを浄化するＮＯx触媒であり、所定の低温状態において前記内燃機関から排出される燃料の未燃成分を吸収するとともに、所定の高温状態においては前記低温状態において吸収した未燃成分を放出する未燃成分触媒を有する第２排気浄化装置をさらに備え、前記運転状態補正手段は、前記未燃成分触媒における前記未燃成分の吸収量がより多い場合における運転状態が、前記未燃成分の吸収量がより少ない場合における運転状態と比較して、同等若しくはより高負荷低回転数側の運転状態となるように前記運転状態を補正してもよい。
【００１９】
ここで、本発明における前記排気浄化装置における触媒がＮＯx触媒であり、さらに、
低温状態においては内燃機関から排出される燃料の未燃成分を吸収するとともに、高温状態においては吸収した未燃成分を放出する未燃成分触媒を含んだ第２排気浄化装置をさらに備えている場合について考える。
【００２０】
このような場合においては、未燃成分触媒に吸収された未燃成分の量が多く、吸収の限界量に近くなるにつれて、未燃成分触媒の温度上昇を促進するというよりは、内燃機関から排出される未燃成分の量を減少させる必要性が大きくなる場合がある。従って、本発明においては、運転状態補正手段は、未燃成分触媒に吸収された未燃成分がより多い場合には、運転状態がより未燃成分の排出量の少ない高負荷低回転数となるように運転状態を補正するようにした。
【００２１】
こうすれば、内燃機関の排気通路に備えられた未燃成分触媒に吸収されている未燃成分の量が限界量に近づいている場合には、未燃成分の更なる吸収を抑制することができ、未燃成分触媒における未燃成分の吸収量が限界量を超えて、未燃成分触媒から放出されてしまうことを抑制できる。これにより、内燃機関のエミッションの悪化を抑制することができる。
【００２２】
なお、上記において所定の低温状態とは、前記未燃成分触媒が、未燃成分触媒において未燃成分の放出作用より吸収作用が活発になる低温側の温度範囲に属する状態を示す。また、所定の高温状態とは、未燃成分触媒が、未燃成分の吸収作用より放出作用が活発になる高温側の温度範囲に属する状態を示す。また、未燃成分触媒における未燃成分の吸収とは、吸着及び吸蔵の意味も含んでいる。
【００２３】
また、本発明においては、前記触媒は排気中のＮＯxを浄化するＮＯx触媒であり、
所定の低温状態において前記内燃機関から排出される燃料の未燃成分を吸収するとともに、所定の高温状態においては前記低温状態において吸収した未燃成分を放出する未燃成分触媒を有する第２排気浄化装置をさらに備え、
前記未燃成分触媒における未燃成分の吸収量が所定量未満の場合には、前記所定温度差の値が、前記排気浄化装置および／または前記第２排気浄化装置の温度が高いほど大きくなるように変更され、前記吸収量が所定量以上の場合には、前記所定温度差の値が、前記排気浄化装置および／または前記第２排気浄化装置の温度が低いほど大きくなるように変更されるようにしてもよい。
【００２４】
ここで上述のように、運転状態補正手段が前記排気の温度の前記触媒の温度に対する差が所定温度差以下の場合に前記運転状態をより高負荷低回転数側に補正する場合であって、且つ、未燃成分触媒を備えている場合について考える。このような場合、未燃成分触媒における未燃成分の吸収量が少なく限界量に対して余裕がある状態においては、排気浄化装置および／または第２排気浄化装置の温度が低い間は低負荷高回転数の運転状態として排気浄化装置および／または第２排気浄化装置の早期暖機を図ることが望ましい。そして、排気浄化装置および／または第２排気浄化装置の温度が高くなり、未燃成分触媒からの未燃成分の放出が活発になると、高負荷低回転数の運転状態として排気温度を上昇させ、排気浄化装置および／または第２排気浄化装置の温度を上昇させて、未燃成分触媒からの未燃成分の放出及び浄化をさらに促進することが望ましい。
【００２５】
一方、未燃成分触媒における未燃成分の吸収量が多く限界量に対して余裕がない状態においては、前述のように高負荷低回転数の運転状態として内燃機関からの未燃成分の排出を抑制することが望ましい。そして、排気浄化装置および／または第２排気浄化装置の温度が高くなるにつれて浄化能力が高まり、未燃成分触媒から放出されてしまった未燃成分を浄化可能となってくるので、未燃成分触媒において未燃成分の吸収量が限界値を超えないことに対する要求度合いが低下する。従って、排気浄化装置および／または第２排気浄化装置の温度が高くなるにつれて、高負荷低回転数の運転状態から低負荷高回転数の運転状態に移行してもよい。
【００２６】
このように、未燃成分触媒における未燃成分の吸収量が異なれば、排気浄化装置及び第２排気浄化装置の温度に応じて求められる、運転状態の変化のパターンも異なる。従って、本発明においては、未燃成分触媒における未燃成分の吸収量が所定量未満の場合と、該未燃成分の吸収量が所定量以上の場合で場合分けを行なった。そして、前記吸収量が所定量未満の場合には、前記所定温度差の値を、排気浄化装置および／または第２排気浄化装置の温度が高いほど大きくなるように変更し、吸収量が所定量以上の場合には、前記所定温度差の値を、排気浄化装置および／または第２排気浄化装置の温度が低いほど大きくなるように変更するようにした。
【００２７】
そうすれば、未燃成分触媒への未燃成分の吸収量が所定量未満の場合には、排気浄化装置および／または第２排気浄化装置の温度が低い状態では、より低負荷高回転数の運転状態になり易くすることができ、排気浄化装置および／または第２排気浄化装置の温度がより高い状態では、より高負荷低回転数の運転状態になり易くすることができる。その結果、吸収量が所定量未満の場合には、排気浄化装置および／または第２排気浄化装置の温度が低い状態においてより効率的に排気浄化装置の触媒を暖機することができる。
【００２８】
また、吸収量が所定量以上の場合には、排気浄化装置および／または第２排気浄化装置の温度が低い状態において、より高負荷低回転数の運転状態になり易くすることができ、排気浄化装置および／または第２排気浄化装置の温度がより高い状態において、より低負荷高回転数の運転状態になり易くすることができる。すなわち、吸収量が所定量以上の場合には、特に排気浄化装置および／または第２排気浄化装置の温度が低く浄化能力が低い状態においては内燃機関からの未燃成分排出の抑制を優先させることができる。
【００２９】
なお、本発明における課題を解決するための手段は、可能な限り組み合わせて使用することができる。
【発明の効果】
【００３０】
本発明にあっては、機関出力を略一定に維持しつつ運転状態を変更可能な内燃機関において、排気浄化装置における触媒の暖機中により適切な運転状態を選択することによって、触媒をより効率的に暖機することができる。
【発明を実施するための最良の形態】
【００３１】
以下に図面を参照して、この発明を実施するための最良の形態を例示的に詳しく説明する。
【実施例１】
【００３２】
図１は、本実施例に係るハイブリッド車両の構成の概略を示す図である。本実施例に係るハイブリッド車両は、駆動源としてエンジン１及びモータ２を備えている。
【００３３】
モータ２は例えば交流モータとして構成され、その出力軸が減速機３を介して負荷である駆動輪４と連結されており、モータ２を駆動させることにより駆動輪４を回転させることができる。さらに、駆動輪４の回転エネルギを利用してモータ２を発電運転させることによりバッテリ７に電気エネルギを蓄えることもできるようになっている。
【００３４】
内燃機関としてのエンジン１については、その出力軸が動力分割機構５及び減速機３を介して駆動輪４と連結されており、エンジン１を駆動させることによっても駆動輪４を回転させることができる。また、ジェネレータ６は例えば交流発電機として構成され、その回転軸が動力分割機構５を介してエンジン１の出力軸と連結されている。これにより、エンジン１の駆動エネルギを電気エネルギに変換し、この電気エネルギをバッテリ７に蓄えたりモータ２の駆動に用いたりすることができる。また、ジェネレータ６及びモータ２とバッテリ７との間にはインバータ８が設けられており、このインバータ８により電力の制御が行われるようになっている。また、バッテリ７には、バッテリ７の充電量を検出する充電量センサ１５が設けられている。
【００３５】
このハイブリッド車両においても、エンジン１には排気マニホールドを介して排気管９が接続されており、排気管９には、エンジン１からの排気中の微粒子物質を捕集するフィルタユニット１０と、ＮＯxを浄化する吸蔵還元型ＮＯx触媒（以下、ＮＳＲ）ユニット１１とが設けられている。
【００３６】
また、本ハイブリッド車両には、図示しない入出力装置，制御プログラムや制御マップ等の記憶に用いられる記憶装置（ＲＯＭ，ＲＡＭ等），中央処理装置（ＣＰＵ）及びタイマカウンタ等を備えたＥＣＵ（電子制御ユニット）２０が併設されている。ＥＣＵ２０は、充電量センサ１５の他、各種センサからの情報に基づいてエンジン１，ジェネレータ６及びモータ７などを総合的に制御する装置であり、バッテリ７の充電処理やＮＳＲユニット１１の暖機に関する制御も実行する。
【００３７】
次に、図２を用いてエンジン１及び排気系の詳細について説明する。図２において、エンジン１には、前述のように排気マニホールドを介して、エンジン１から排出される排気が流通する排気通路としての排気管９が接続され、この排気管９は下流にて図示しないマフラーに接続されている。また、排気管９の途中に設けられた第２排気浄化装置としてのフィルタユニット１０の内部には、始動時の低温状態においてはエンジン１から排出されるＨＣを吸着するとともに、暖機終了後の高温状態においては吸着したＨＣを放出可能な未燃成分触媒としてのＨＣ吸着触媒１０ａが設けられている。そして、フィルタユニット１０におけるＨＣ吸着触媒１０ａの下流側には、排気中の微粒子物質を捕集するフィルタ１０ｂが配置されている。
【００３８】
また、排気管９におけるフィルタユニット１０の下流側の、排気浄化装置としてのＮＳＲユニット１１には、触媒としてのＮＳＲ１１ａが配置されている。そして、フィルタユニット１０とＮＳＲユニット１１との間には、フィルタユニット１０から排出されＮＳＲユニット１１に導入される排気の温度を検出するための排気温センサ１２が設けられてい
る。また、ＮＳＲユニット１１内に設けられた触媒としてのＮＳＲ１１ａに吸蔵されたＮＯxを還元放出してＮＳＲ１１ａのＮＯx吸蔵能力を再生するＮＯx還元処理などの際に、
フィルタユニット１０から排出された排気に還元剤としての燃料を添加し、ＮＳＲ１１ａに燃料を供給する燃料添加弁１４が設けられている。
【００３９】
一方、ＮＳＲユニット１１の下流における排気管９には、ＮＳＲユニット１１から排出された排気の温度を検出することでＮＳＲ１１ａの温度を検出する触媒温センサ１６が設けられている。なお、本実施例において排気温度取得手段は排気温センサ１２を含んで構成され、触媒温度取得手段は触媒温センサ１６を含んで構成される。
【００４０】
ここで、本ハイブリッド車両の冷間始動時においては、ＮＳＲ１１ａの暖機を図り、エンジン１から排出されるＮＯxなどの浄化が早期の段階から充分に行なわれる状態とする
必要がある。また、充電量センサ１５で検出されたバッテリ７の充電量が減少しているときには充電制御を行う必要がある。
【００４１】
従って、冷間始動時においては、ＥＣＵ２０によって、エンジン１の機関出力（負荷×回転数）が、ＮＳＲ１１ａなどの暖機制御及び、バッテリ７の充電制御を充分に行うことができる始動時機関出力となるような要求が出される。以下には、本ハイブリッド車両の冷間始動時の制御であって特にＮＳＲ１１ａの早期の暖機完了を目的とした制御の詳細について説明する。
【００４２】
図３には、冷間始動時におけるＮＳＲ１１ａの暖機制御を実行する際の運転状態を説明するためのグラフを示す。図３に示す等出力ラインは、エンジン１の出力を始動時機関出力に維持すべき、機関負荷と機関回転数の組合せを示したラインである。なお、この始動時機関出力は本実施例において所定出力に相当する。
【００４３】
本ハイブリッド車両の冷間始動時においては、ＮＳＲ１１ａは活性温度に達していないので、エンジン１の出力が始動時機関出力となるようにＥＣＵ２０から指令が出される。その際には、まず、エンジン１の運転状態は図３における等出力ライン上の第１状態とされる。この第１状態は、低負荷高回転数の運転状態であって、負荷が低いために排気の温度は比較的低いがＮＳＲ１１ａに大量の排気ガスを供給することができるので、相対的に排気熱量を高めることができＮＳＲ１１ａの暖機性を向上することができる運転状態である。
【００４４】
そして、その後、ＮＳＲ１１ａの温度を触媒温センサ１６でモニターし、ＮＳＲ１１ａの温度が上昇するにつれて、エンジン１の運転状態を徐々に等出力ライン上の第２状態に移行する。この第２状態は、高負荷低回転数の運転状態であって排気温度が高いが排気ガスの量が少ないので、第１状態と比較するとＮＳＲ１１ａの暖機性は劣る。一方、燃費の点では有利な運転状態である。
【００４５】
このように、ＮＳＲ１１ａの暖機制御においては、エンジン１の運転状態をまず第１状態としてＮＳＲ１１ａの暖機を優先して促進する。その後、ＮＳＲ１１ａの温度の上昇に伴って運転状態を第１状態から第２状態に徐々に移行し、ＮＳＲ１１ａの暖機優先の制御から燃費優先の制御に移行する。本実施例においては、この運転状態を第１状態から第２状態に徐々に移行する指令を出すＥＣＵ２０が等出力運転状態変更手段である。また、このＮＳＲ１１ａの暖機制御は暖機促進制御に相当し、本制御を実行するＥＣＵ２０は暖機促進手段に相当する。
【００４６】
このＮＳＲ１１ａの暖機制御においては、排気の温度はエンジン１の運転状態が第１状態から第２状態へ移行するに従って上昇する傾向にあるが、この排気の温度が、ＮＳＲ１
１ａの温度に対して適正な温度差を有さないと、ＮＳＲ１１ａの温度を効率よく上昇させることができないことが分かっている。すなわち、常に排気の温度がＮＳＲ１１ａの温度に対して２０℃〜３０℃高い状態となっていることが望ましい。
【００４７】
しかし、実際には、ＮＳＲ１１ａの温度と排気の温度との温度差は正確に監視されておらず、両者の温度差が適切な値に維持されているかどうかは保証されていなかった。そうすると、ＮＳＲ１１ａの温度を最短で上昇させることができるかどうかは判らなかった。
【００４８】
そこで、本実施例においては、ＮＳＲ１１ａに導入される排気の温度を排気温センサ１２で検出し、検出された排気の温度と、触媒温センサ１６によって検出されるＮＳＲ１１ａの温度との差に基づいて、ＮＳＲ１１ａの暖機制御におけるエンジン１の運転状態を補正することとした。
【００４９】
図４には、本実施例におけるＮＳＲ暖機制御ルーチンについてのフローチャートを示す。本ルーチンはＥＣＵ２０のＲＯＭに記憶されたプログラムであり、エンジン１の稼動中は所定期間毎に実行されるルーチンである。
【００５０】
本ルーチンが実行されると、まずＳ１０１においてエンジン１に暖機要求がされているか否かが判定される。具体的には、ＥＣＵ２０によって暖機要求がされた場合にＯＮされる暖機要求フラグの値を読み込むことで判定してもよい。ここで暖機要求がされていないと判定された場合にはそのまま本ルーチンを一旦終了する。一方、暖機要求がされていると判定された場合にはＳ１０２に進む。
【００５１】
Ｓ１０２においては、ＮＳＲ１１ａの温度ＴＣが触媒活性温度Ｔ０より低いか否かが判定される。ここでＮＳＲ１１ａの温度ＴＣは、触媒温センサ１６の出力信号をＥＣＵ２０に読み込むことによって取得され、この温度ＴＣと予め定められている触媒活性温度Ｔ０が比較されることによって判定される。ここで、ＮＳＲ１１ａの温度ＴＣが触媒活性温度Ｔ０以上と判定された場合にはＳ１０６に進む。一方、ＮＳＲ１１ａの温度ＴＣが触媒活性温度Ｔ０より低いと判定された場合にはＳ１０３に進む。
【００５２】
Ｓ１０３においては、Ｓ１０２において取得されたＮＳＲ１１ａの温度ＴＣに応じて、選択すべきエンジン１の運転状態が予め準備されたマップから読み出されて導出される。なお、このマップの内容について図５に示す。すなわち、まずは低負荷高回転数の第１状態が選択され、暖機が進んでＮＳＲ１１ａの温度ＴＣが上昇するにつれて高負荷低回転数の第２状態に移行するように、運転状態が選択される。Ｓ１０３の処理が終了するとＳ１０４に進む。
【００５３】
一方、Ｓ１０６に進んだ場合には、ＮＳＲ１１ａの暖機が終了したと判断されるので暖機要求フラグをクリヤする。Ｓ１０６の処理が終了すると本ルーチンを一旦終了する。
【００５４】
Ｓ１０４においては、選択された運転状態でエンジン１が作動される。Ｓ１０４の処理が終了するとＳ１０５に進む。
【００５５】
Ｓ１０５においては、排気温度ＴＧと、ＮＳＲ１１ａの温度ＴＣとの差が予め定められたΔＴより大きいかどうかが判定される。具体的には、排気温センサ１２によって排気の温度ＴＧが検出され、Ｓ１０２において検出されているＮＳＲ１１ａの温度ＴＣとの差と、ΔＴとが比較される。ここで肯定判定された場合には、この運転状態でエンジン１を作動することでＮＳＲ１１ａの温度を充分に上昇可能と判断できるので本ルーチンを一旦終了する。一方、否定判定された場合には排気温度ＴＧとＮＳＲ１１ａの温度ＴＣの差が小さすぎ、ＮＳＲ１１ａの温度ＴＣを効率的に上昇させることが困難と判定されるので、Ｓ
１０７に進む。
【００５６】
なお、ΔＴは、排気からＮＳＲ１１ａに熱量を供給することでＮＳＲ１１ａの温度ＴＣを上昇させる際に、排気の温度ＴＧとＮＳＲ１１ａの温度ＴＣとの間にこれより高い温度差がないと効率的に温度上昇させることが困難になると判断される閾値としての温度差であり、予め実験などによって求められる。
【００５７】
次に、Ｓ１０７においては、エンジン１の運転状態を等出力ライン上でより高負荷低回転数側、すなわち高負荷で排気の温度がより高くなる運転状態に補正される。この際の補正幅については、予め実験などによって、より制御性が良いと思われる一定の補正幅を定めておいてよい。Ｓ１０７の処理が終了するとＳ１０４の前に戻り、補正後の運転状態でエンジン１が作動される。
【００５８】
そして、Ｓ１０５において排気の温度ＴＧとＮＳＲ１１ａの温度ＴＣとの差がΔＴより大きいと判定されるまで、Ｓ１０４、Ｓ１０５、Ｓ１０７の処理が繰り返される。Ｓ１０５において排気の温度ＴＧとＮＳＲ１１ａの温度ＴＣとの差がΔＴより大きいと判定された場合には、本ルーチンを一旦終了する。
【００５９】
以上、説明したように本実施例においては、ＮＳＲ１１ａの暖機制御において、ＮＳＲ１１ａの温度ＴＣに応じて、エンジン１の運転状態を低負荷高回転数の第１状態から高負荷低回転数の第２状態まで、始動時機関出力の等出力ライン上を徐々に移行する。そして、排気の温度ＴＧとＮＳＲ１１ａの温度ＴＣとの差がΔＴ以下の場合には、より排気の温度ＴＧを上昇させるために、運転状態を等出力ライン上においてより高負荷低回転数側に補正する。
【００６０】
これにより、排気の温度ＴＧをより確実にＮＳＲ１１ａの温度ＴＣより充分に高く維持することができ、より早期にＮＳＲ１１ａの暖機を終了させることが可能となる。なお、本実施例においてＮＳＲ暖機制御ルーチンを実行するＥＣＵ２０は運転状態補正手段に相当する。また、ＮＳＲ暖機制御ルーチンにおいてΔＴは所定温度差に相当する。
【００６１】
なお、本実施例においては、排気の温度ＴＧとＮＳＲ１１ａの温度ＴＣとの差がΔＴ以下の場合には、排気の温度ＴＧをより上昇させるために、運転状態を等出力ライン上においてより高負荷低回転数側に補正することとしたが、排気の温度ＴＧとＮＳＲ１１ａの温度ＴＣとの差がより小さい場合には、エンジン１の運転状態をより高負荷低回転数側に補正して、排気の温度ＴＧを上昇させるという技術思想に従う限り、他の制御を実行しても構わない。例えば、排気の温度ＴＧとＮＳＲ１１ａの温度ＴＣとの差に応じた機関回転数の補正量をマップから読み出して導出し、導出された補正量に基づいて、エンジン１の運転状態を始動時機関出力の等出力ライン上において低回転数側に補正するような制御でも構わない。
【実施例２】
【００６２】
次に、本発明における実施例２について説明する。本実施例においては、実施例１において説明した構成及び制御に加え、ＨＣ吸着触媒１０ａにおけるＨＣの吸着量が所定量以上の場合には、エンジン１からのＨＣ排出量を低減するために、より高負荷低回転数側の運転状態が選択されるようにする例について説明する。
【００６３】
より具体的には、本実施例においては、実施例１で説明したＮＳＲ暖機制御ルーチンとは独立のルーチンで、ΔＴの値を、ＨＣ吸着触媒１０ａにおけるＨＣの吸着量とＮＳＲ１１ａの温度とに応じて変化させ、ＮＳＲ暖機制御ルーチンにおけるＳ１０７の処理頻度を制御することとした。
【００６４】
図６には、本実施例におけるエンジン１及び排気系の詳細について示す。図６に示したエンジン１及び排気系の、図２との相違点は、ＨＣ吸着触媒１０ａの上下流に、ＨＣ吸着触媒１０ａ上下の差圧を検出する差圧センサ１０ｃを設けたことである。
【００６５】
次に、図７には、本実施例におけるΔＴ設定ルーチンについてのフローチャートを示す。本ルーチンはＥＣＵ２０のＲＯＭに記憶されたプログラムであり、内燃機関１の稼動中は所定期間毎に実行されるルーチンである。
【００６６】
本ルーチンが実行されるとまずＳ２０１において暖機要求があるか否かが判定される。ここで暖機要求があると判定された場合には、Ｓ２０２へ進む。暖機要求がないと判定された場合には、そのまま本ルーチンを一旦終了する。
【００６７】
Ｓ２０２においては、ＨＣ吸着触媒１０ａの前後の差圧ΔＰが取得される。具体的には、ＨＣ吸着触媒１０ａの前後に設けられた差圧センサ１０ｃの出力信号をＥＣＵ２０に読み込むことによって取得される。Ｓ２０２の処理が終了するとＳ２０３に進む。
【００６８】
Ｓ２０３においては、差圧センサ１０ｃによって取得されたＨＣ吸着触媒１０ａの前後の差圧ΔＰからＨＣ吸着量が求められ、求められたＨＣ吸着量が閾吸着量以上かどうかが判定される。ここでＨＣ吸着量が閾吸着量以上と判定された場合にはＳ２０４へ進む。ＨＣ吸着量が閾吸着量未満と判定された場合にはＳ２０５に進む。ここで閾吸着量は、ＨＣ吸着触媒１０ａにこれ以上のＨＣが吸収されている場合には、ＨＣ吸着触媒１０ａの吸着容量の限界に近づいており、ＨＣ吸着触媒１０ａにこれ以上のＨＣが導入されると、ＨＣ吸着触媒１０ａに吸着されずにすり抜けてしまうＨＣの量が増加すると考えられる閾値としてのＨＣ吸着量である。
【００６９】
Ｓ２０４においては、後述する処理で用いる、ＮＳＲ１１ａの温度ＴＣとΔＴとの関係を格納したマップとして、マップ１が選択される。このマップ１においては、ＮＳＲ１１ａの温度ＴＣとΔＴとの関係は、ＴＣが高くなるほど、ΔＴの値は小さくなるような関係となっている。一方、Ｓ２０５においては、当該マップとしてマップ２が選択される。このマップ２においては、ＮＳＲ１１ａの温度ＴＣとΔＴとの関係は、ＴＣが高くなるほど、ΔＴの値は大きくなるような関係となっている。Ｓ２０４またはＳ２０５の処理が終了するとＳ２０６に進む。
【００７０】
Ｓ２０６においては、ＮＳＲ１１ａの温度ＴＣが検出される。具体的には、触媒温センサ１６の出力信号がＥＣＵ２０に読み込まれることによって検出される。Ｓ２０６の処理が終了するとＳ２０７に進む。
【００７１】
Ｓ２０７においては、Ｓ２０４またはＳ２０５のマップから、Ｓ２０６において検出されたＮＳＲ１１ａの温度ＴＣに応じたΔＴの値が導出される。Ｓ２０７の処理が終了すると本ルーチンを一旦終了する。
【００７２】
図８には、マップ１及びマップ２におけるＮＳＲ１１ａの温度ＴＣとΔＴとの関係のグラフを示す。
【００７３】
以上、説明したように、本実施例においては、ＨＣ吸着触媒１０ａにおけるＨＣの吸着量が閾吸着量以上の場合には、特に低温時にエンジン１からのＨＣ排出量を低減するために、ＮＳＲ１１ａの温度とΔＴと関係のマップとして、ＮＳＲ１１ａが低温である場合にΔＴが大きく、ＮＳＲ１１ａの温度の上昇とともにΔＴが小さくなるようなマップを用いることとした。一方、ＨＣ吸着触媒１０ａにおけるＨＣの吸着量が閾吸着量より小さい場
合には、高温時にＨＣ吸着触媒１０ａ及びフィルタ１０ｂに供給される排気の温度をより上昇させるために、ＮＳＲ１１ａが低温である場合にΔＴが小さく、ＮＳＲ１１ａの温度の上昇とともにΔＴが大きくなるようなマップを用いることとした。
【００７４】
これにより、ＨＣ吸着触媒１０ａにおけるＨＣの吸着量が多く、限界量に近い場合には特にＮＳＲ１１ａの温度が低い状態でエンジン１の運転状態を高負荷低回転数とすることができ、エンジン１からのＨＣ排出量を低減することができる。これによって、排気系の暖機が進んでおらず、フィルタ１０ｂでＨＣが酸化除去困難な状態で、ＨＣ吸着触媒１０ａに吸着されなかったＨＣがすり抜けてしまうことを抑制できる。その結果、低温時にＨＣが車外に放散されエミッションが悪化することを抑制できる。
【００７５】
また、ＨＣ吸着触媒１０ａにおけるＨＣの吸着量が少なく、限界量に対して余裕がある場合には、特にＮＳＲ１１ａの温度が低い状態でエンジン１の運転状態を低負荷高回転数とすることができ、ＮＳＲ１１ａ及びＨＣ吸着触媒１０ａ、フィルタ１０ｂの暖機を促進することができる。また、高温時にエンジン１の運転状態を高負荷低回転数とすることができ、ＨＣ吸着触媒１０ａからのＨＣの放出と、放出されたＨＣのフィルタ１０ｂにおける酸化除去とを促進することができる。なお、上記のΔＴ設定ルーチンにおいて閾吸着量は所定量の吸収量に相当する。
【００７６】
なお、上記のΔＴ設定ルーチンのマップ１及びマップ２には、ＮＳＲ１１ａの温度とΔＴとの関係を格納しており、Ｓ２０６においてＮＳＲ１１ａの温度ＴＣを検出して、ΔＴを導出している。これに対し、ＮＳＲ１１ａの温度ＴＣの温度とＨＣ吸着触媒１０ａまたはフィルタ１０ｂの温度とはある程度以上の相関を有していると考えられるので、マップ１及びマップ２には、ＨＣ吸着触媒１０ａまたはフィルタ１０ｂの温度とΔＴとの関係を格納しており、Ｓ２０６においてＨＣ吸着触媒１０ａまたはフィルタ１０ｂの温度を検出して、ΔＴを導出するようにしてもよい。
【００７７】
また、本実施例においては、ＨＣ吸着触媒１０ａにおけるＨＣの吸着量が閾吸着量以上か否かで、ＮＳＲ１１ａの温度と設定されるΔＴとの関係を変更した。しかし、ＨＣ吸着触媒１０ａにおけるＨＣの吸着量がより多い場合に、エンジン１の運転状態をより高負荷低回転数側に変更（補正）してエンジン１からのＨＣ排出量を抑制するという技術思想に従う限り、他の制御を実行しても構わない。例えば、ＨＣ吸着触媒１０ａにおけるＨＣの吸着量に応じた機関回転数の補正量をマップから読み出して導出し、導出された補正量に基づいて、エンジン１の運転状態を始動時機関出力の等出力ライン上において低回転数側に補正するような制御でも構わない。
【００７８】
また、上記の実施例においては、フィルタユニット１０とＮＳＲユニット１１とを排気管９に直列に配置し、フィルタユニット１０が第２排気浄化装置に相当し、ＮＳＲユニット１１が排気浄化装置に相当する構成としたが、排気浄化装置と第２排気浄化装置の組合せの態様はこれに限られない。例えば、ＮＳＲを含む排気浄化装置とＨＣ吸着触媒を含む第２排気浄化装置とを同じケーシングに収納しても構わないし、前後の関係を逆転してももちろん構わない。
【図面の簡単な説明】
【００７９】
【図１】本発明の実施例に係るハイブリッド車両のシステム全体を示す図である。
【図２】本発明の実施例１に係るエンジンと、その排気系及び制御系の詳細を示す図である。
【図３】本発明の実施例に係るＮＳＲの暖機制御におけるエンジンの運転状態の変化を示した図である。
【図４】本発明の実施例１におけるＮＳＲ暖機制御ルーチンについてのフローチャートである。
【図５】本発明の実施例１におけるＮＳＲ暖機制御ルーチンにおいて使用される、運転状態とＮＳＲの温度との関係に係るマップの内容である。
【図６】本発明の実施例２に係るエンジンと、その排気系及び制御系の詳細を示す図である。
【図７】本発明の実施例２におけるΔＴ設定ルーチンについてのフローチャートである。
【図８】本発明の実施例２におけるＮＳＲの温度とΔＴとの関係を示すグラフである。
【符号の説明】
【００８０】
１・・・エンジン
２・・・モータ
３・・・減速機
４・・・駆動輪
５・・・動力分割機構
６・・・ジェネレータ
７・・・バッテリ
８・・・インバータ
９・・・排気管
１０・・・フィルタユニット
１０ａ・・・ＨＣ吸着触媒
１０ｂ・・・フィルタ
１０ｃ・・・差圧センサ
１１・・・ＮＳＲユニット
１１ａ・・・ＮＳＲ
１２・・・排気温センサ
１４・・・燃料添加弁
１５・・・充電量センサ
１６・・・触媒温センサ
２０・・・ＥＣＵ
【図１】
2008255947.tif 000003
【図２】
2008255947.tif 000004
【図３】
2008255947.tif 000005
【図４】
2008255947.tif 000006
【図５】
2008255947.tif 000007
【図６】
2008255947.tif 000008
【図７】
2008255947.tif 000009
【図８】
2008255947.tif 000010